(57)【要約】【課題】簡易な構成でありながらも、樹木の損傷を有効に防止すると共に、移送に要する時間及び労働力を低減させる樹木用コンテナを提供すること。【解決手段】樹木を収容して移送するコンテナであって、略四角筒状を成す底面及び側面を少なくとも備え、そのうちの１側面が、欠けて全面的に開口していると共に、その開口部に着脱自在に設置されて開口を部分的に閉鎖する棒状体を有し、底面及び側面が、網目状の壁部とその壁部の周縁を支持する枠部とを有する。吊り上げて移送する際に係合される吊り上げ部を側面に設けてもよい。底面及び側面のうちの少なくとも１面を、その枠部に備わる蝶番部を介して、隣接する側面と重なる方向へ折り畳み可能に構成してもよい。【選択図】図１
0003167403.tif 000002
【実用新案登録請求の範囲】
【請求項１】
樹木を収容して移送するコンテナであって、
略四角筒状を成す底面及び側面を少なくとも備え、
そのうちの１側面が、欠けて全面的に開口していると共に、その開口部に着脱自在に設置されて開口を部分的に閉鎖する棒状体を有し、
底面及び側面が、網目状の壁部とその壁部の周縁を支持する枠部とを有する
ことを特徴とする樹木用コンテナ。
【請求項２】
吊り上げて移送する際に係合される吊り上げ部を、側面に有する
請求項１に記載の樹木用コンテナ。
【請求項３】
底面及び側面のうちの少なくとも１面が、その枠部に備わる蝶番部を介して、隣接する側面と重なる方向へ折り畳み可能である
請求項１または２に記載の樹木用コンテナ。
【考案の詳細な説明】
【技術分野】
【０００１】
本考案は、樹木を収容して移送するコンテナに関する。
【背景技術】
【０００２】
低木などの樹木の移送には、従来は、人出によって直接樹木を持ち運び、トラックや台車への荷積み及び荷下ろしを行っていた。
生産者から消費者までの流通経路には、多数の荷積み及び荷下ろしの工程が付随する。そのため、移送に要する時間及び労働力が嵩みことや、樹木の損傷の一因にもなっている。特に、トラックなどの移送媒体への荷積み及び荷下ろしにおける負担及び負荷が大きい。
【０００３】
樹木の移送手段に関する従来技術には、特許文献１〜４が挙げられ、それに関連する従来技術には、特許文献５〜８が挙げられる。
しかし、従来の用具類では、トラックなどの移送媒体への荷積み及び荷下ろしにおける負担及び負荷は解消しない。
【先行技術文献】
【特許文献】
【０００４】
【特許文献１】特開平８−１９１６３８  「仮植用コンテナ」
【特許文献２】特開平９−２９０８３７  「搬送用保護容器」
【特許文献３】特開２００５−２７００３５  「樹木移載用枠体」
【特許文献４】特開２０１０−２３３５２０  「樹木の植栽・育成用コンテナおよび樹木の植栽・育成方法」
【特許文献５】特開２００６−２３８８９１  「幼齢木保護具」
【特許文献６】特開２００７−１４２０４  「樹木の移植方法および樹木の移植用根鉢」
【特許文献７】特開２００８−３５８１０  「樹木保護装置」
【特許文献８】特開２０１０−２２２８１６  「防護柵」
【考案の概要】
【考案が解決しようとする課題】
【０００５】
そこで、本考案は、簡易な構成でありながらも、樹木の損傷を有効に防止すると共に、移送に要する時間及び労働力を低減させる樹木用コンテナを提供することを課題とする。
【課題を解決するための手段】
【０００６】
上記課題を解決するために、本考案は次の構成を備える。
すなわち、本考案の樹木用コンテナは、樹木を収容して移送するコンテナであって、略四角筒状を成す底面及び側面を少なくとも備え、そのうちの１側面が、欠けて全面的に開口していると共に、その開口部に着脱自在に設置されて開口を部分的に閉鎖する棒状体を有し、底面及び側面が、網目状の壁部とその壁部の周縁を支持する枠部とを有することを特徴とする。
【０００７】
ここで、吊り上げて移送する際に係合される吊り上げ部を側面に設けて、クレーン等を用いてトラックの荷台との間などの移送の利便に寄与させてもよい。
【０００８】
また、底面及び側面のうちの少なくとも１面を、その枠部に備わる蝶番部を介して、隣接する側面と重なる方向へ折り畳み可能に構成して、不使用時のコンパクト化に寄与させてもよい。
【考案の効果】
【０００９】
本考案の樹木用コンテナによると、樹木を保護した状態で、トラックや台車などへの荷積み及び荷下ろしを容易に行え、しかも、その工程が標準化されるので、作業者のスキルに影響されることなく、移送に要する時間及び労働力を低減させられる。
【図面の簡単な説明】
【００１０】
【図１】本考案による樹木用コンテナの実施例の概要を示す斜視説明図
【図２】（ａ）コンテナの正面図、（ｂ）側面図、（ｃ）平面図、（ｄ）底面図
【図３】コンテナをトラックへ荷積みする様態を示す説明図
【図４】（ａ）コンテナの底面を折り畳む様態の概要を示す平面説明図、（ｂ）コンテナの側面を折り畳む様態の概要を示す平面説明図
【考案を実施するための形態】
【００１１】
以下に、本考案の実施形態を説明する。なお、本考案の趣旨から逸脱しない範囲で、適宜設計変更可能であり、前記特許文献や従来公知の技術を援用可能である。
【００１２】
図１は、本考案による樹木用コンテナの実施例の概要を示す斜視説明図であり、図２（ａ）（ｂ）（ｃ）（ｄ）は、コンテナの正面図、側面図、平面図、底面図である。
コンテナは、略四角筒状を成す底面（１０）及び側面（２０）（３０）（４０）を備え、側部を形成する４面のうちの１側面部分が欠けて側面開口部（５０）を構成している。
本実施例では、上面は、欠けて全面的に開口しているが、底面（１０）と同様の形態のものを付設してもよい。
【００１３】
底面（１０）及び側面（２０）（３０）（４０）は、網目状の壁部（１１）とその壁部（１１）の周縁を支持する枠部（１２）とを有する。
壁部（１１）には、金属や樹脂製のワイヤーによるネットなど、従来公知の市販品が使用できる。
【００１４】
樹木は、側面開口部（５０）や上面部分を介して、コンテナに収容または排出される。
収容時には、側面開口部（５０）を部分的に閉鎖して、樹木の収容安定と保護を行う。
側面開口部（５０）の閉鎖には、棒状体（５１）を側面（２０）（４０）の枠部（１２）に備わる棒状体支持部（５２）に掛止させる。なお、このような棒状体（５１）の代わりに、ワイヤーを側面（２０）（４０）の枠部（１２）に架設させるなどしてもよい。
【００１５】
コンテナの形状としては、例えば、底面が一辺１１０ｃｍの正方形、側面が１１０ｃｍ及び２１０ｃｍを２辺とする長方形のものが挙げられる。これは、高さ１００〜２００ｃｍの植木の移送に適している。収容する樹木の形状に応じて、コンテナの形状も適宜選定できる。
【００１６】
図３は、コンテナをトラックへ荷積みする様態を示す説明図である。
コンテナは、側面（２０）（３０）（４０）の枠部（１２）に備わる吊り上げ穴（１３）に設置される吊り上げ部材（６１）を介して、クレーン（６０）によってトラックの荷台へ荷積みされる。
樹木を直接荷積み及び荷下ろしする必要がなくなり、作業が標準化されたことにより、トラックや台車などへの荷積み及び荷下ろしに要する時間を、従来の１／３に低減できるようになった。
【００１７】
また、側面（２０）に荷札の収容部（２１）を設けることによって、樹木の識別や管理を効率よく行える。
【００１８】
図４は、コンテナを折り畳む様態の概要を示す平面説明図である。
コンテナの不使用時には、底面（１０）が、その枠部（１２）に備わる蝶番部（１４）を介して、図４（ａ）に示すように、側面（３０）と重なる方向へ折り畳まれる。側面（２０）も同様に、その枠部（１２）に備わる蝶番部（１４）を介して、図４（ｂ）に示すように、側面（３０）と重なる方向へ折り畳まれる。なお、蝶番部（１４）には、従来公知の蝶番類が使用できる。
本実施例では、２つの面（１０）（２０）が折り畳まれ形態であるが、更に側面（４０）も折り畳まれる構成にしてもよいし、上面も設けて構成し、その上面も折り畳まれる構成にしてもよい。
【産業上の利用可能性】
【００１９】
以上のように、本考案によると、樹木の保護と、トラックや台車などへの荷積み及び荷下ろしを容易に行え、しかも、作業者のスキルに影響されることなく移送に要する時間及び労働力を低減させられるので、産業上非常に有用である。
【符号の説明】
【００２０】
１０  底面
１１  壁部
１２  枠部
１３  吊り上げ穴
１４  蝶番部
２０、３０、４０  側面
２１  荷札収容部
５０  側面開口部
５１  棒状体
５２  棒状体支持部
６０  クレーン
６１  吊り上げ部材
【図１】
0003167403.tif 000003
【図２】
0003167403.tif 000004
【図３】
0003167403.tif 000005
【図４】
0003167403.tif 000006